(57)【要約】【課題】ゲルに気泡が生じることを防ぐことができる。【解決手段】電気泳動用カセット１に設けられて、基板２ａ、２ｂを組み合わせて構成されたキャビティ部ＣにゾルＧａを充填するゾル充填工程と、ゾルＧａをキャビティ部Ｃの形状に倣ってゲル化させるゲル化工程とを有するゲル形成方法であって、キャビティ部ＣはゾルＧａを充填するための充填用ノズル孔（充填口）８と、キャビティ部Ｃの空気を吸引するための吸引用ノズル孔（吸引口）９とを備え、充填用ノズル孔８および吸引用ノズル孔９は封止部材７によって封止されていて、ゾル充填工程では、充填用ノズル孔８の封止部材７を貫通する充填用ノズルによってキャビティ部ＣにゾルＧａを充填すると共に、吸引用ノズル孔９の封止材料７を貫通する吸引用ノズルによってキャビティ部Ｃの空気を吸引する。【選択図】図１
2010286396.tif 000002
【特許請求の範囲】
【請求項１】
電気泳動用カセットに設けられて、基板を組み合わせて構成されたキャビティ部にゾルを充填するゾル充填工程と、
前記ゾルを前記キャビティ部の形状に倣ってゲル化させるゲル化工程とを有するゲル形成方法であって、
前記キャビティ部は前記ゾルを充填するための充填口と、前記キャビティ部の空気を吸引するための吸引口とを備え、前記充填口および前記吸引口は封止部材によって封止されていて、
前記ゾル充填工程では、前記充填口の封止部材を貫通する充填用ノズルによって前記キャビティ部に前記ゾルを充填すると共に、前記吸引口の封止材料を貫通する吸引用ノズルによって前記キャビティ部の空気を吸引することを特徴とするゲル形成方法。
【請求項２】
前記ゾル充填工程において、前記キャビティ部から空気を吸引し前記キャビティ部を負圧にすることによって前記キャビティ部に前記ゾルを充填することを特徴とする請求項１に記載のゲル形成方法。
【請求項３】
前記ゾル充填工程において、前記ゾルが充填される過程で上昇する前記ゾルの上面にあわせて、前記吸引ノズルの先端部をキャビティ部の下部側から上部側へ移動させることを特徴とする請求項１または２に記載のに記載のゲル形成方法。
【請求項４】
前記吸引口は、前記キャビティ部の上部側と下部側に設けられていることを特徴とする請求項１乃至３の何れかに記載のゲル形成方法。
【発明の詳細な説明】
【技術分野】
【０００１】
本発明は、電気泳動用カセットのゲル形成方法に関する。
【背景技術】
【０００２】
従来、遺伝子や蛋白質を解析するための方法として、電気泳動法が知られている。電気泳動法とは、所定の緩衝液に浸漬されたゲルの一端側に被検体となる遺伝子や蛋白質などを配置し、ゲルの一端と他端との間に所定電圧あるいは所定電流を印加することでゲルの内部で被検体を分離する手法である。
【０００３】
また、蛋白質のような高分子量の被検体を精度よく解析するための手法として、解析に適した所定濃度のゲル（以下「分離ゲル」という。）に、分離ゲルよりも低濃度のゲル（以下「濃縮ゲル」という。）が重層されたゲルを用いることが知られている。
【０００４】
ガラスや樹脂等の基板の間にゲルの前駆体となるゾルを注入すると、基板の間におけるゾルと空気との界面においてメニスカスが生じる。このようなメニスカスを抑制するため、分離ゲルの充填後、分離ゲルに水や緩衝液を重層して分離ゲルをゲル化させることが知られている。また、分離ゲルに蒸留水や緩衝液を重層することで、分離ゲルと濃縮ゲルとの界面を平坦に形成できることが知られている。
【０００５】
このような濃縮ゲルを用いる電気泳動法に使用される電気泳動用器具の例として、特許文献１には電気泳動用カセットが記載されている。この特許文献１に記載の電気泳動用カセットは、合成樹脂製の基板の間に生じる空間（キャビティ）に支持体（ゲル）を配置して使用するための電気泳動用カセットであって、基板のゲルに接する表面がＳｉＯｘ膜で覆われている。また、このＳｉＯｘ膜の水に対する接触角は３０度以下となるように構成されている。特許文献１には、上記ＳｉＯｘ膜を有するキャビティにアクリルアミドの溶液を注入した後に蒸留水を重層して分離ゲルを形成することが記載されている。この電気泳動用カセットによれば、ゲルの前駆体であるゾルのスムーズな注入が行え、かつ注入後の分離ゲルと濃縮ゲルとの境界が歪むことがなく、良好なゲルの形成ができる。
【先行技術文献】
【特許文献】
【０００６】
【特許文献１】特開２００７−２３２４７５号公報
【発明の概要】
【発明が解決しようとする課題】
【０００７】
しかしながら、従来の電気泳動用カセットでは以下のような問題があった。
電気泳動用カセットのキャビティ内にゲルを形成する場合、キャビティにゲルの前駆体であるゾルを充填し、このゾルをゲル化させているが、キャビティの角部や凹凸部などにゾルが十分に充填されず空気が残った状態でゲルが形成され、形成されたゲルに気泡が残存することがあった。また、ゾルを充填する際にゾルとキャビティ内の空気が混ざり、形成されたゲルに気泡が残存することがあった。
そして、ゲルに気泡が残存することにより、電気泳動の精度が低下すると共に電気泳動用カセットの品質にバラツキが生じ、外観上もよくないという問題があった。
【０００８】
本発明は、上述する問題点に鑑みてなされたもので、ゲルに気泡が生じることを防ぐことができるゲル形成方法を提供することを目的とする。
【課題を解決するための手段】
【０００９】
本発明に係るゲル形成方法は、電気泳動用カセットに設けられて、基板を組み合わせて構成されたキャビティ部にゾルを充填するゾル充填工程と、前記ゾルを前記キャビティ部の形状に倣ってゲル化させるゲル化工程とを有するゲル形成方法であって、前記キャビティ部は前記ゾルを充填するための充填口と、前記キャビティ部の空気を吸引するための吸引口とを備え、前記充填口および前記吸引口は封止部材によって封止されていて、前記ゾル充填工程では、前記充填口の封止部材を貫通する充填用ノズルによって前記キャビティ部に前記ゾルを充填すると共に、前記吸引口の封止材料を貫通する吸引用ノズルによって前記キャビティ部の空気を吸引することを特徴とする。
【００１０】
また、前記ゾル充填工程において、前記キャビティ部から空気を吸引し前記キャビティ部を負圧にすることによって前記キャビティ部に前記ゾルを充填してもよい。
【００１１】
また、前記ゾル充填工程において、前記ゾルが充填される過程で上昇する前記ゾルの上面にあわせて、前記吸引ノズルの先端部をキャビティ部の下部側から上部側へ移動させてもよい。
【００１２】
また、前記吸引口は、前記キャビティ部の上部側と下部側に設けられていてもよい。
【発明の効果】
【００１３】
本発明のゲル形成方法によれば、ゾル充填工程においてキャビティ部にゾルを充填すると共に、キャビティ部の空気を吸引するので、形成されたゲルに気泡が残存することがなく、電気泳動用カセットの品質を安定させることができる。
【図面の簡単な説明】
【００１４】
【図１】（Ａ）は本発明の第１実施形態の電気泳動用カセットを示す斜視図、（Ｂ）は（Ａ）のＡ−Ａ線断面図である。
【図２】（Ａ）は本発明の第１実施形態の電気泳動用カセット製造時におけるゲル充填工程を説明する図で（Ｂ）のＢ−Ｂ線断面図、（Ｂ）は（Ａ）のＣ−Ｃ線断面図である。
【図３】（Ａ）は本発明の第２実施形態の電気泳動用カセット製造時におけるゲル充填工程を説明する図で（Ｂ）のＤ−Ｄ線断面図、（Ｂ）は（Ａ）のＥ−Ｅ線断面図である。
【図４】（Ａ）は本発明の第３実施形態の電気泳動用カセット製造時におけるゲル充填工程を説明する図で（Ｂ）のＦ−Ｆ線断面図、（Ｂ）は（Ａ）のＧ−Ｇ線断面図である。
【図５】（Ａ）は本発明の第４実施形態の電気泳動用カセット製造時におけるゲル充填工程を説明する図で（Ｂ）のＨ−Ｈ線断面図、（Ｂ）は（Ａ）のＩ−Ｉ線断面図である。
【発明を実施するための形態】
【００１５】
以下、本発明の第１実施形態の電気泳動用カセットについて、図１および２に基づいて説明する。
図１（Ａ）および（Ｂ）に示すように、第１実施形態の電気泳動用カセット１は、蛋白質などのサンプルを解析する際に使用される二次元電気泳動法における二次元目の泳動に好適に適用可能な構成を有している。また、電気泳動用カセット１は、二次元目泳動用のゲルＧが予め充填されて供給されるプレキャストゲルカセットである。
【００１６】
電気泳動用カセット１は、合成樹脂からなる基板２ａ及び基板２ｂを組み合わせて構成された本体２を備えている。基板２ａと基板２ｂとは接着あるいは溶着によって一体化されている。
基板２ａと基板２ｂとの間には、略直方体形状のキャビティ部Ｃが生じており、このキャビティ部Ｃには電気泳動に使用されるゲルＧが形成されている。
本実施形態では、ゲルＧ中をサンプルが泳動される泳動方向は図１（Ａ）および（Ｂ）において矢印Ａの方向とする。
【００１７】
ゲルＧは、例えばポリアクリルアミドの重合体によって構成されたゲルを採用することができる。また、サンプルにおいて注目する分子量の幅に合わせて適切な濃度・ｐＨを有する周知の組成のゲルを適宜採用することができる。
ゲルＧは、全体の濃度を同一としてもよいし、例えば、サンプルをその分子量に基づいて分離し分子ふるいとして機能する分離ゲルと、サンプルを濃縮するための濃縮ゲル（スタッキングゲル）とが配列された構成としてもよい。このとき、濃縮ゲルの濃度と分離ゲルの濃度との間の関係は、濃縮ゲルが分離ゲルよりも低濃度であることが好ましい。
【００１８】
基板２ａには、第一のバッファー槽３と第二のバッファー槽４とが設けられている。第一のバッファー槽３は第二のバッファー槽４よりもサンプルの泳動方向（矢印Ａ）における後方側に設けられている。第一および第二のバッファー槽３，４は、電気泳動に使用される泳動バッファー（ランニングバッファー）が注入可能な容器形状を有している。
第一のバッファー槽３と第四のバッファー槽４とのそれぞれには、詳細は図示しない直流電源装置の一対の電極が接続可能である。ゲルＧに直流電圧を印加することで、ゲルＧにおいてサンプルを電気泳動することができる。
【００１９】
基板２ａには、第一のバッファー槽３の位置にゲルＧが露出可能なスリット３ａ，３ｂが形成されている。スリット３ａは、第一のバッファー槽３に供給されるランニングバッファーを介してゲルＧに通電させるための開口部である。
一方でスリット３ｂは、二次元電気泳動における一次元目の泳動が完了したゲルの細片（ゲルストリップ）を挿入するために設けられた開口部である。スリット３ｂの位置はスリット３ａよりもサンプルが泳動される泳動方向の下流側である。
本実施形態の電気泳動用カセット１では、上述のゲルストリップはスリット３ｂに差し込まれ、ゲルＧに密着するように埋め込まれて使用される。
【００２０】
スリット３ａおよびスリット３ｂは、電気泳動用カセット１の使用時には取り外されるキャップ５によって封止されている。キャップ５は、電気泳動用カセット１の製造時に、ゲルＧの前駆物質であるゾルＧａがスリット３ａおよび３ｂから流出することを防いでいる。また、キャップ５は、電気泳動用カセット１の製造後から電気泳動用カセット１の使用前までの間におけるゲルＧの乾燥を抑制している。
キャップ５は、例えばウレタンゴムなどの気密性の高い材料からなり、スリット３ａ、３ｂを第一のバッファー槽３側から覆うことが可能な大きさで、スリット３ａ、３ｂに相当する凸部５ａ、５ｂを備えている。この凸部５ａおよび凸部５ｂの高さは、基板２ａを構成する部材の厚さと略等しく、基板２ａを構成する部材のキャビティ部Ｃ側の面と凸部５ａ、５ｂの先端面とが略面一となることが好ましい。
なお、キャップ５は各スリット３ａ、３ｂに対して個々に設けられていてもよい。
【００２１】
また、基板２ａには、第二のバッファー槽４の位置に上述のスリット３ａと同様な形状を有するスリット４ａが形成されている。スリット４ａは、バッファー槽４に供給されるランニングバッファーを介してゲルＧに通電させるための開口部である。
スリット４ａは、電気泳動用カセット１の使用時には取り外されるキャップ６によって封止されている。キャップ６は、電気泳動用カセット１の製造時にゾルＧａがスリット４ａから流出することを防止し、電気泳動用カセット１の製造後から電気泳動用カセット１の使用前までの間におけるゲルＧの乾燥を抑制している。
キャップ６は、スリット４ａに相当する凸部６ａを備えている。この凹部６ａの高さは基板２ａを構成する部材の厚さと略等しく、基板２ａを構成する部材のキャビティ部Ｃ側の面と凸部６ａの先端面とは略面一となることが好ましい。
【００２２】
基板２ｂには、サンプルの泳動方向（矢印Ａ）における後方側に、キャビティ部Ｃと基板２ｂの外部とを連通するように形成された充填用ノズル孔（充填口）８と吸引用ノズル孔（吸引口）９とが設けられている。
図１および図２に示すように、充填用ノズル孔８は、電気泳動用カセット１の製造時に、ゾルＧａをキャビティ部Ｃに充填する充填用ノズル１１が挿通される開口部である。充填用ノズル孔８は、例えば、ウレタンゴムなどの気密性の高い材料からなる封止部材７によって封止されている。
電気泳動用カセット１の製造時には、充填用ノズル１１が封止部材７を貫通することによって、充填用ノズル孔８に挿通される。そして、充填用ノズル孔８と充填用ノズル１１との間の隙間は封止部材７によって封止された状態となる。充填用ノズル１１は、少なくとも先端部が封止部材７に貫通可能な硬質な材料で形成されていることが好ましい。
【００２３】
吸引用ノズル孔９は、電気泳動用カセット１の製造時に、キャビティ部Ｃの空気を吸引する吸引用ノズル１２が挿通される開口部である。吸引用ノズル孔９は、例えば、ウレタンゴムなどの気密性の高い材料からなる封止部材７によって封止されている。
電気泳動用カセット１の製造時には、吸引用ノズル１２が封止部材７を貫通することによって、吸引用ノズル孔９に挿通される。そして、吸引用ノズル孔９と吸引用ノズル１２との間の隙間は、封止部材７によって封止された状態となる。吸引用ノズル１２は、少なくとも先端部が封止部材７に貫通可能な硬質な材料で形成されていることが好ましい。
【００２４】
上述した構成の電気泳動用カセット１は、製造時に各スリット３ａ、３ｂ、４ａがキャップ５、６で塞がれていて、充填用ノズル孔８および吸引用ノズル孔９は封止部材７によって塞がれているので、キャビティ部Ｃが封止された状態となる。
【００２５】
次に、上述した第１実施形態の電気泳動用カセット１の製造方法について図面を用いて説明する。
【００２６】
まず、図１（Ａ）、（Ｂ）に示すように、所定の形状に成形された、基板２ａと基板２ｂとを組み合わせて、キャビティ部Ｃを構成する。
基板２ａのスリット３ａ、３ｂにキャップ５を取り付けて、スリット４ａにキャップ６を取り付ける。また、充填用ノズル孔８および吸引用ノズル孔９に封止部材７を取り付ける。
【００２７】
次に、キャビティ部ＣにゲルＧを形成する。
まず、所定濃度のゾルＧａをキャビティ部Ｃに充填する（ゾル充填工程）。
ゾル充填工程では、図２（Ａ）、（Ｂ）に示すように、電気泳動用カセット１を、サンプルの泳動方向（矢印Ａ）における前方側が重力方向（下側）に向かう位置関係にし、充填用ノズル孔８および吸引用ノズル孔９が上側となるように設置する。
【００２８】
充填用ノズル孔８の封止部材７に充填用ノズル１１を貫通させ、吸引用ノズル孔９の封止部材７に吸引用ノズル１２を貫通させて、充填用ノズル１１および吸引用ノズル１２の先端部をキャビティ部Ｃの内部に設置する。
そして、ゾルＧａを圧送する充填機２１とつながる充填用ノズル１１からゾルＧａを充填すると共に、吸引機２２とつながる吸引用ノズル１２からキャビティ部Ｃの空気を吸引する。
【００２９】
ゾルＧａの充填開始時は、吸引用ノズル１２の先端部１２ａはキャビティ部Ｃの下部側に設置し、キャビティ部Ｃの下部側の空気を吸引する。そして、ゾルＧａが充填されてゾルＧａの上面が上昇するに従って吸引用ノズル１２の先端部１２ａも上昇するように吸引用ノズル１２を引き上げて、吸引用ノズル１２でゾルＧａの上面付近の空気を吸引する。このとき、吸引用ノズル１２の先端部１２ａはゾルＧａの上面のやや上方に位置させる。
このようにゾルＧａの上面付近の空気を吸引しながら、ゾルＧａを充填することによって充填されているゾルＧａの上面に空気が混ざり、ゾルＧａに気泡ができることを防ぐことができる。
【００３０】
また、吸引用ノズル１２でキャビティ部Ｃの角部や凹凸部の空気を吸引し、角部や凹凸部に空気が残らないようにゾルＧａを充填する。
空気を吸引せずにゾルＧａを充填するとキャビティ部Ｃの角部や凹凸部などにゾルＧａが充填されず形成されたゲルＧに気泡が残存することがある。本実施形態では、吸引用ノズル１２でキャビティ部Ｃの角部や凹凸部の空気を吸引しながらゾルを充填するので、キャビティ部Ｃの角部や凹凸部などにゾルＧａが充填されずに気泡ができることを防ぐことができる。
また、図１（Ｂ）に示すように、基板２ａのスリットを塞ぐキャップ５、６は、基板２ａを構成する部材のキャビティ部Ｃ側の面とキャップ５、６の凸部５ａ、５ｂ、６ａの先端面とが略面一なので、気泡の原因となるキャビティ部Ｃの凹凸部を減らすことができる。
なお、ゾルＧａの充填にともなって充填用ノズル１１の先端部の位置も徐々に高くしてもよい。
キャビティ部ＣにゾルＧａを充填する速度とキャビティ部Ｃ内の空気を吸引する速度は適宜設定する。
【００３１】
そして、ゾルＧａをキャビティ部Ｃへの充填した後に、充填用ノズル１１および吸引用ノズル２を充填用ノズル孔８および吸引用ノズル孔９から抜去する。充填用ノズル１１および吸引用ノズル１２が抜去された後の封止部材７は、充填用ノズル１１および吸引用ノズル１２が貫通していた部分が塞がれて、充填用ノズル孔８および吸引用ノズル孔９を塞ぎ、キャビティ部Ｃを封止した状態とすることができる。
そして、ゾルＧａをキャビティ部Ｃの形状に倣ってゲル化させ（ゲル化工程）、電気泳動に供する。
【００３２】
上述した第１実施形態のゲル形成方法によれば、キャビティ部Ｃの空気を吸引しながらゾルＧａを充填するので、ゾルＧａに空気が混ざることがなくゲルＧに気泡が残存することを防げて、電気泳動用カセット１の品質を安定させることができる効果を奏する。
【００３３】
次に、他の実施形態について、添付図面に基づいて説明するが、上述の第１実施形態と同一又は同様な部材、部分には同一の符号を用いて説明を省略し、第１実施形態と異なる構成について説明する。
図３（Ａ）、（Ｂ）に示すように、第２実施形態のゲル形成方法では、キャビティ部Ｃの空気を吸引することによって、キャビティ部Ｃを負圧にし、充填用ノズル３１からゾルＧａをキャビティ部Ｃに充填する方法である。
充填用ノズル３１は、ゾルＧａを圧送して充填する充填機と接続されていなく、ゾルＧａを収容するゾル収容部３５と接続されている構成である。
第２実施形態のゲル形成方法では、キャビティ部Ｃの空気を吸引することによってキャビティ部ＣにゾルＧａを充填しているので、第１実施形態と同様の効果を奏する。
【００３４】
図４（Ａ）、（Ｂ）に示すように、第３実施形態のゲル形成方法では、ゾル充填工程の電気泳動用カセット１の設置された向きにおけるキャビティ部Ｃの上部側と下部側の２ヶ所に吸引用ノズル孔３６、３７が設けられている。そして、各吸引用ノズル孔３６、３７にそれぞれ吸引用ノズル３８、３９を挿通しキャビティ部Ｃ内の空気を吸引している。吸引用ノズル孔３６、３７には封止部材７が配設されている。
ゾル充填工程では、ゾル充填開始時は下部側の吸引用ノズル３９でキャビティ部Ｃの空気を吸引し、充填されたゾルＧａの上面が下部側の吸引用ノズル孔３７の位置に近づいたら下部側の吸引用ノズル３９を抜去し、上部側の吸引用ノズル３８でキャビティ部Ｃの空気を吸引する。
第３実施形態のゲル形成方法では、キャビティ部Ｃの空気を吸引しながらゾルＧａを充填しているので、第１実施形態と同様の効果を奏すると共に、ゾルＧａを充填する過程においてキャビティ部Ｃの空気を上部側と下部側とで吸引しているので、キャビティ部Ｃの空気を効率よく吸引することができる。
【００３５】
図５（Ａ）、（Ｂ）に示すように、第４実施形態のゲル形成方法では、専用の充填用ノズル孔と吸引用ノズル孔を設けずに、基板２ａに形成されたスリット３ａを充填用ノズル孔および吸引用ノズル孔に利用している。
充填用ノズル４８と吸引用ノズル４９は、キャップ４５を貫通してスリット３ａからキャビティ部Ｃに挿通させる構成である。キャップ４５は、ウレタンゴムなどの気密性の高い部材からなり、キャビティ部Ｃを封止している。
なお、スリット３ａに代わって、スリット３ｂを使用してもよい。
【００３６】
第４実施形態によるゲル形成方法では、キャビティ部Ｃの空気を吸引しながらゾルＧａを充填しているので、第１実施形態と同様の効果を奏すると共に、吸引用ノズル孔および充填用ノズル孔にスリット３ａを利用しているので、第１実施形態と比べて、第電気泳動用カセット１の構成が簡素化し、電気泳動用カセット１の製造コストを削減することができる。
【００３７】
以上、本発明によるゲル形成方法の実施の形態について説明したが、本発明は上記の実施の形態に限定されるものではなく、その趣旨を逸脱しない範囲で適宜変更可能である。
例えば、上述した実施の形態では、充填用ノズル孔８および吸引用ノズル孔９は基板２ｂに一つずつ設けられているが、複数設けてもよい。
また、上記の実施の形態では、充填用ノズル孔８および吸引用ノズル孔９は、ゾル充填工程の電気泳動用カセット１の設置された向きにおける基板２ｂの上部側に設けられているが、この向きにおける基板２ａおよび基板２ｂの側面に設けられてもよい。
また、上記の実施の形態では、充填用ノズル孔８および吸引用ノズル孔９は、基板２ｂを成形するときに成形されているが、ゾルＧａ充填時に充填用ノズル孔８および吸引用ノズル孔９を成形してもよい。
また、上記の実施の形態では、基板２ａおよび基板２ｂは合成樹脂製としているが、ガラス製としてもよい。
また、上記の実施の形態では、充填用ノズル１１および吸引用ノズル１２は、少なくとも先端部が封止部材７に貫通可能な硬質な材料で形成されているが、封止部材７に貫通可能であればこのほかの材料で形成されていてもよい。
また、予め充填用ノズル１１や吸引用ノズル１２が貫通している封止部材７を充填用ノズル孔８および吸引用ノズル孔９に設置してもよい。
また、上記の第４実施形態では、専用の充填用ノズル孔および吸引用ノズル孔を備えずに、スリットを充填用ノズル孔と吸引用ノズル孔に利用しているが、充填用ノズル孔と吸引用ノズル孔のどちらか一方を個別に設けて、他方はスリットを利用する構成としてもよい。
また、上記の本実施形態では、基板２ａ、２ｂを組み立てる工程とゲルＧを形成する工程とは連続しているが、必ずしも連続している必要はなく、ゲルＧを形成する工程の前段階でゲルＧが入っていない状態の電気泳動用カセット１を長期に保管することもできる。この場合、一般的に消費期限が短い電気泳動用ゲルを製造する際に、必要に応じてゲルＧを形成する工程から工程を再開することができるため電気泳動用カセット１の製造効率がよいことになる。また、組み立て工程を実施し、ゲルＧの入っていない電気泳動用カセットを製品として出荷することも可能である。
【符号の説明】
【００３８】
１  電気泳動用カセット
２ａ、２ｂ  基板
５、６  キャップ
７  封止部材
８  充填用ノズル孔（充填口）
９  吸引用ノズル孔（吸引口）
１１  充填用ノズル
１２  吸引用ノズル
Ｃ  キャビティ部
Ｇ  ゲル
Ｇａ  ゾル
【図１】
2010286396.tif 000003
【図２】
2010286396.tif 000004
【図３】
2010286396.tif 000005
【図４】
2010286396.tif 000006
【図５】
2010286396.tif 000007